(57)【特許請求の範囲】
【請求項１】
建物本体の一辺に隣接して設置されるとともに平面視矩形状に形成される収納スペース付き玄関ユニットにおいて、
少なくとも玄関ポーチと、この玄関ポーチに連なる玄関室と、この玄関室に連なる収納室とを備えており、
これら玄関ポーチと、玄関室と、収納室は一直線上に配置されており、
前記玄関室および収納室に、前記建物本体の内部に設けられた部屋へ通じる出入り口がそれぞれ設けられており、
前記玄関室には、この玄関室と部屋との間に、この玄関室と部屋との境界となる境界領域が設けられていることを特徴とする収納スペース付き玄関ユニット。
【請求項２】
請求項１に記載の収納スペース付き玄関ユニットにおいて、
前記玄関ポーチの床面と、前記玄関室の床面と、前記収納室の床面とは、ほぼ等しい高さ位置になるように、かつ前記部屋よりも一段低く設けられており、
前記玄関室および収納室の双方に設けられた出入り口の手前に、前記部屋の床に接続され、かつ前記玄関室および収納室の床より上方に配設される式台が玄関室側および収納室側に張り出すようにして、それぞれ設けられていることを特徴とする収納スペース付き玄関ユニット。
【請求項３】
請求項１に記載の収納スペース付き玄関ユニットにおいて、
前記玄関室は、前記玄関ポーチの床面とほぼ等しい高さ位置の床面となるように設定された玄関土間と、この玄関土間よりも一段高く設けられた玄関ホールとを備えており、
前記玄関ホールの床面と前記部屋の床面とが、ほぼ等しい高さ位置になるように設けられているとともに、前記玄関ホールの床面と前記収納室の床面とが、ほぼ等しい高さ位置となるように設けられていることを特徴とする収納スペース付き玄関ユニット。
【請求項４】
請求項１〜３のいずれか一項に記載の収納スペース付き玄関ユニットにおいて、
前記玄関室と前記収納室との間に出入り口が設けられ、この出入り口には戸が設けられていることを特徴とする収納スペース付き玄関ユニット。
【請求項５】
請求項１〜４のいずれか一項に記載の収納スペース付き玄関ユニットを建物本体の一辺に隣接して設置する収納スペース付き玄関ユニットの設置方法であって、
一直線上に配置された玄関ポーチと、玄関室と、収納室とを少なくとも備えており、前記建物本体の内部に設けられた部屋へ通じる出入り口を前記玄関室および収納室にそれぞれ設け、さらに玄関室に前記境界領域を設けて構成された複数種類の平面視矩形状の収納スペース付き玄関ユニットを予め規格化して用意しておき、
前記複数種類の収納スペース付き玄関ユニットのうち、所望するいずれか一種類の収納スペース付き玄関ユニットを選択してから前記建物本体の一辺に隣接して設置することを特徴とする収納スペース付き玄関ユニットの設置方法。
【発明の詳細な説明】
【技術分野】
【０００１】
本発明は、建物本体に隣接して設置される収納スペース付き玄関ユニットおよび収納スペース付き玄関ユニットの設置方法に関する。
【背景技術】
【０００２】
近年、生活の質の向上や多様化に伴い、生活に使用する物品が多種多様化および多数化する傾向にあり、これらの物品を保管、収容する場所として、屋外に物置等が設置されることがある。しかしながら、建物が建てられる敷地の有効利用という観点から、屋外物置等の設置は望ましくない場合があった。
これに対し、建物の内部に押入や納戸、床下収納庫、小屋裏収納部、天井裏収納部等の様々な収納スペースを設けることによって、敷地の有効的な利用を図ることを可能とする技術が種々開発されている。
【０００３】
このような収納スペースを備えた住宅等の建物の一例として、特許文献１に記載の技術が挙げられる。この特許文献１に記載の住宅には、玄関土間と居間との間に、玄関土間に連なる土間収納が設けられており、これによって、特に屋外で使用する物品類の収納及び使用を便利に行うことが可能となっている。
【特許文献１】特開２００２−０４７８１３号公報
【発明の開示】
【発明が解決しようとする課題】
【０００４】
ところで、上記特許文献１に記載の住宅のように、例えば玄関部分に収納スペースを設けると同時に、敷地の有効利用を図ることができる等の利点があったり、比較的人気があったりするもの、動線等の機能上優れた建物は構成要素を共通化し、規格商品として広く提供されている。
【０００５】
ところが、規格商品である建物においても、敷地環境や居住者（発注者）の要望等によっては玄関部分や収納部分等の大きさや形状（平面形状）を変更する場合がある。しかしながら、例えば、要望どおりに玄関部分の大きさや形状（平面形状）を変更したがために、玄関以外のその他の部屋の配置関係も変更せざるを得ない場合もあり、再度設計プランを決定するのに手間がかかったり、施工コストが高くなったりする場合があった。
【０００６】
そこで、このような規格商品の建物においても、玄関部分や収納部分等の大きさや形状（平面形状）を簡単に変更することができるとともに、上述したような敷地の有効利用という観点から、比較的大きな収納室を備えた、使い勝手の良い玄関を建物に設置したいという要望があった。
【０００７】
本発明の課題は、比較的大きな収納室を備えるとともに、使い勝手が良く、その上、複数種類用意された中から要望に合ったものを選択することができる収納スペース付き玄関ユニットおよび収納スペース付き玄関ユニットの設置方法を提供することを目的とする。
【課題を解決するための手段】
【０００８】
請求項１に記載の発明は、例えば図１に示すように、建物本体Ａの一辺に隣接して設置されるとともに平面視矩形状に形成される収納スペース付き玄関ユニット１（１００）において、
少なくとも玄関ポーチ２（２０）と、この玄関ポーチ２（２０）に連なる玄関室３（３０）と、この玄関室３（３０）に連なる収納室４（４０）とを備えており、
これら玄関ポーチ２（２０）と、玄関室３（３０）と、収納室４（４０）は一直線上に配置されており、
前記玄関室３（３０）および収納室４（４０）に、前記建物本体Ａの内部に設けられた部屋５へ通じる出入り口３ａ（３０ａ）、４ａ（４０ａ）がそれぞれ設けられており、
前記玄関室３（３０）には、この玄関室３（３０）と部屋５との間に、この玄関室３（３０）と部屋５との境界となる境界領域（例えば、式台６、玄関ホール３２）が設けられていることを特徴とする。
【０００９】
請求項１に記載の発明によれば、前記玄関ポーチ２（２０）から玄関室３（３０）を経て前記収納室４（４０）までが連続して設けられており、しかも前記玄関室３（３０）および収納室４（４０）には、前記部屋５へ通じる出入り口３ａ（３０ａ）、４ａ（４０ａ）がそれぞれ設けられているので、玄関部分と部屋５との行き来がし易く、かつ前記収納室４（４０）に収納すべき物品の搬入および搬出もし易く、使い勝手が良い。その上、敷地の有効利用という観点からも玄関部分に収納室４（４０）を確保できることは望ましい。
また、このように、少なくとも玄関ポーチ２（２０）、玄関室３（３０）および収納室４（４０）を備えるとともに、前記玄関室３（３０）および収納室４（４０）に、前記部屋５へ通じる出入り口３ａ（３０ａ）、４ａ（４０ａ）がそれぞれ設けられていることを基本的な構成要素とするので、前記玄関ポーチ２（２０）、玄関室３（３０）および収納室４（４０）等の各構成要素の大きさを変更したり、その他の要素を追加したり等、様々なバリエーションを持たせることができる。
そして、規格商品の建物においても、このように様々なバリエーションの収納スペース付き玄関ユニット１（１００）を複数種類用意しておけば、敷地環境や居住者の要望に合ったものを選択することが可能となる。これによって、従来とは異なり、敷地環境や居住者の要望に合わせて玄関部分の大きさや形状（平面形状）を変更したとしても、玄関以外のその他の部屋の配置関係や設計プラン等を変更する必要が無く、施工コストの高騰を防ぐことが可能となる。
【００１０】
請求項２に記載の発明は、例えば図１に示すように、請求項１に記載の収納スペース付き玄関ユニット１において、
前記玄関ポーチ２の床面２ｃと、前記玄関室３の床面３ｃと、前記収納室４の床面４ｃとは、ほぼ等しい高さ位置になるように、かつ前記部屋５よりも一段低く設けられており、
前記玄関室３および収納室４の双方に設けられた出入り口３ａ、４ａの手前に、前記部屋５の床５ａに接続され、かつ前記玄関室３および収納室４の床３ｃ、４ｃより上方に配設される式台６が玄関室３側および収納室４側に張り出すようにして、それぞれ設けられていることを特徴とする。
【００１１】
請求項２に記載の発明によれば、前記玄関ポーチ２の床面２ｃと、前記玄関室３の床面３ｃと、前記収納室４の床面４ｃとが、ほぼ等しい高さ位置になるように設けられているので、外部から収納室４までの行き来がし易い。しかも、収納すべき物品を持ったまま、ほぼ等しい高さ位置の床面を移動するだけで済むので、例えば比較的重量な物品等でも収納しやすく、使い勝手が良い。
その上、前記玄関室３および収納室４の双方に設けられた出入り口３ａ、４ａの手前に、前記部屋５の床５ａに接続され、かつ前記玄関室３および収納室４の床３ｃ、４ｃよりも上方に配設される前記式台６を玄関側に張り出すようにして設けることで、前記式台６が前記収納スペース付き玄関ユニット１と部屋５との間における玄関ホールのような境界領域となるので、使い勝手が良い。すなわち、前記玄関室３から部屋５へと進む際の踏み台にしたり、買い物をしてきた物品や収納すべき物品の一時的な置き場にしたり、来客の腰掛け用にしたり、靴を履くときの腰掛け用にしたり等、様々な用途に適応することが可能となる。
また、例えば、玄関ホールや玄関と部屋５との連絡通路等を設ける必要がなくなるので、その分のスペースを、前記収納室４を設けるためのスペースとして利用することができ、この収納室４を比較的大きく形成することが可能となる。
【００１２】
請求項３に記載の発明は、例えば図１に示すように、請求項１に記載の収納スペース付き玄関ユニット１００において、
前記玄関室３０は、前記玄関ポーチ２０の床面２０ｃとほぼ等しい高さ位置の床面３１ｃとなるように設定された玄関土間３１と、この玄関土間３１よりも一段高く設けられた玄関ホール３２とを備えており、
前記玄関ホール３２の床面３２ｃと前記部屋５の床面５ａとが、ほぼ等しい高さ位置になるように設けられているとともに、前記玄関ホール３２の床面３２ｃと前記収納室４０の床面４０ｃとが、ほぼ等しい高さ位置となるように設けられていることを特徴とする。
【００１３】
請求項３に記載の発明によれば、前記玄関ホール３２の床面３２ｃと前記収納室４０の床面４０ｃと前記部屋５の床面５ａとが、ほぼ等しい高さ位置となるように設けられているので、前記部屋５と、玄関ホール３２および収納室４０との行き来がし易い。しかも、収納すべき物品を持ったまま、ほぼ等しい高さ位置の床面を移動するだけで済むので、例えば比較的重量な物品等でも収納しやすく、使い勝手が良い。
また、前記玄関室３０を玄関土間３１と玄関ホール３２とに分けることによって、玄関部分に比較的大きな収納室４０を備えながらも、前記玄関室３０の玄関ホール３２を来客との接点の場として確保することが可能となる。
【００１４】
請求項４に記載の発明は、例えば図１に示すように、請求項１〜３のいずれか一項に記載の収納スペース付き玄関ユニット１において、
前記玄関室３（３０）と前記収納室４（４０）との間に出入り口７（３４）が設けられ、この出入り口７（３４）には戸７ａ（３４ａ）が設けられていることを特徴とする。
【００１５】
請求項４に記載の発明によれば、前記玄関室３（３０）と前記収納室４（４０）との間に出入り口７（３４）が設けられることによって、前記玄関室３（３０）と収納室４（４０）とを行き来することができるので、収納すべき物品の搬入および搬出がしやすく、使い勝手が良い。
しかも、この出入り口７（３４）に戸７ａ（３４ａ）が設けられることによって、前記玄関室３（３０）から前記収納室４（４０）の中が見えないように遮蔽することができるので、玄関部分の見映えが良くなる。
【００１６】
請求項５に記載の発明は、例えば図１に示すように、請求項１〜４のいずれか一項に記載の収納スペース付き玄関ユニット１（１００）を建物本体Ａの一辺に隣接して設置する収納スペース付き玄関ユニット１（１００）の設置方法であって、
一直線上に配置された玄関ポーチ２（２０）と、玄関室３（３０）と、収納室４（４０）とを少なくとも備えており、前記建物本体Ａの内部に設けられた部屋５へ通じる出入り口３ａ（３０ａ）、４ａ（４０ａ）を前記玄関室３（３０）および収納室４（４０）にそれぞれ設け、さらに玄関室３（３０）に前記境界領域（例えば、式台６、玄関ホール３２）を設けて構成された複数種類の平面視矩形状の収納スペース付き玄関ユニット１（１００）を予め規格化して用意しておき、
前記複数種類の収納スペース付き玄関ユニット１（１００）のうち、所望するいずれか一種類の収納スペース付き玄関ユニット１（１００）を選択してから前記建物本体Ａの一辺に隣接して設置することを特徴とする。 
【００１７】
請求項５に記載の発明によれば、少なくとも玄関ポーチ２（２０）、玄関室３（３０）および収納室４（４０）とを備えるとともに、前記部屋５へ通じる出入り口３ａ（３０ａ）、４ａ（４０ａ）を前記玄関室３（３０）および収納室４（４０）にそれぞれ設けて構成された複数種類の収納スペース付き玄関ユニット１（１００）を予め規格化して用意しておき、所望するいずれか一種類の収納スペース付き玄関ユニット１（１００）を選択してから前記建物本体Ａに隣接して設置するので、敷地環境や居住者の要望等に合った収納スペース付き玄関ユニット１（１００）を提供することができる。
これによって、選択された収納スペース付き玄関ユニット１（１００）が要望により近いものとなるので、この収納スペース付き玄関ユニット１（１００）を建物本体Ａに隣接して設置することで居住者にとっての居住性を確実に向上させることが可能となる。
【発明の効果】
【００１８】
本発明によれば、玄関ポーチから玄関室を経て収納室までが連続して設けられており、しかも前記玄関室および収納室には、建物本体の内部に設けられた部屋へ通じる出入り口がそれぞれ設けられているので、玄関部分と部屋との行き来がし易く、かつ前記収納室に収納すべき物品の搬入および搬出もし易く、使い勝手が良い。その上、敷地の有効利用という観点からも玄関部分に収納室を確保できることは望ましい。
また、このように、少なくとも玄関ポーチ、玄関室および収納室を備えるとともに、前記玄関室および収納室に、前記部屋へ通じる出入り口がそれぞれ設けられていることを基本的な構成要素とするので、前記玄関ポーチ、玄関室および収納室等の各構成要素の大きさを変更したり、その他の要素を追加したり等、様々なバリエーションを持たせることができる。
そして、規格商品の建物においても、このように様々なバリエーションの収納スペース付き玄関ユニットを複数種類用意しておけば、敷地環境や居住者の要望等に合ったものを選択することが可能となる。これによって、従来とは異なり、敷地環境や居住者の要望に合わせて玄関部分の大きさや形状（平面形状）を変更したとしても、玄関以外のその他の部屋の配置関係や設計プラン等を変更する必要が無く、施工コストの高騰を防ぐことが可能となる。
その上、居住者が自身の要望に合った収納スペース付き玄関ユニットを選択することによって、選択された収納スペース付き玄関ユニットが要望により近いものとなるので、この収納スペース付き玄関ユニットを建物本体に隣接して設置することで居住者にとっての居住性を確実に向上させることが可能となる。
【発明を実施するための最良の形態】
【００１９】
以下、図面を参照して本発明に係る収納スペース付き玄関ユニット１および収納スペース付き玄関ユニット１の設置方法の実施の形態について説明する。
【００２０】
（第１の実施の形態）
本実施の形態の収納スペース付き玄関ユニット１は、図１に示すように、建物本体Ａに隣接して設置されるものであり、
少なくとも玄関ポーチ２と、この玄関ポーチ２に連なる玄関室３と、この玄関室３に連なる収納室４とを備えており、
前記玄関室３および収納室４に、前記建物本体Ａの内部に設けられた部屋５へ通じる出入り口３ａ、４ａがそれぞれ設けられている。
【００２１】
さらに詳細には、本実施の形態の収納スペース付き玄関ユニット１は、前記玄関ポーチ２の床面２ｃと、前記玄関室３の床面３ｃと、前記収納室４の床面４ｃとが、ほぼ等しい高さ位置になるように、かつ前記部屋５よりも一段低く設けられており、
前記玄関室３および収納室４の双方に設けられた出入り口３ａ、４ａの手前に、前記部屋５の床５ａに接続され、かつ前記玄関室３および収納室４の床３ｃ、４ｃより上方に配設される式台６が玄関室３側および収納室４側に張り出すようにして、それぞれ設けられている。
【００２２】
ここで、前記建物本体Ａは、図１および図２に示すように、１階部分Ａ１と２階部分Ａ２とからなるとともに複数の部屋５を備えており、１階部分Ａ１には前記建物本体Ａの内部に設けられた部屋５として、リビング５ｂ、ダイニング５ｃおよびキッチン５ｄからなる共用居住空間が設けられている。
【００２３】
前記玄関ポーチ２は、前記玄関室３に隣接して配置されているとともに、壁を挟んで前記共用居住空間にも隣接して配置されている。
なお、この玄関ポーチ２は多雪地域と、そうでない地域とで構造に若干の違いがある。すなわち、多雪地域ではない場合の玄関ポーチ２は、図３に示すように、屋根８で覆われない部分があるが、多雪地域の場合、図４に示すように、玄関ポーチ２の隅に柱９ａが設けられて、この柱９ａによって支持される屋根９が前記玄関ポーチ２を完全に覆うようになっている。
そして、このような玄関ポーチ２の構造の違いも、複数種類用意される収納スペース付き玄関ユニット１のバリエーションの一つとなる。
【００２４】
前記玄関室３は、前記玄関ポーチ２へ通じる出入り口２ａを有しており、前記部屋５よりも一段低く設けられている。なお、前記出入り口２ａには戸２ｂが設けられている。
また、この玄関室３を形成する壁際に沿って収納棚１０が設けられている。なお、この収納棚１０は、図１に示すように、前記玄関ポーチ２へ通じる出入り口２ａに達しない範囲の奥行き寸法を備えたものが好ましい。すなわち、外部から前記玄関室３へと進む際に、前記収納棚１０が前記出入り口２ａからはみ出して見えていると見映えが悪いだけではなく、比較的大きな物品を搬入する際にもこの収納棚１０が妨げとなってしまうためである。
【００２５】
前記収納室４は、前記玄関室３に連なって設けられおり、前記部屋５よりも一段低く設けられている。
また、この収納室４を形成する壁には、前記玄関室３と収納室４との間に設けられる出入り口７（後述する）に対向して勝手口１１が設けられている。このように勝手口１１を設けることによって、前記部屋５から玄関室３を通過し玄関ポーチ２へと出るよりも早く、前記部屋５から外部へと出ることができるようになっている。
また、前記収納室４には、例えば、外部から直接搬入する自転車やバイクや、冷暗所等にて保存することが適切な食品類、長期間使用しないもの等、様々な物品を収納することができるようになっている。その他にも、この収納室４を、飼い犬の飼育スペースとして使用することもできるようになっており、居住者の生活様式に合わせて様々な用途に適応することができる多目的な空間となっている。
【００２６】
さらに、上述したように、前記玄関室３と前記部屋５との間に出入り口３ａが設けられているとともに、前記収納室４と前記部屋５との間に出入り口４ａが設けられている。なお、これら出入り口３ａ、４ａには、図１に示すように、それぞれに戸３ｂ、４ｂを設けておくのが望ましい。すなわち、冬期に冷たい空気の浸入を防いだり、来客時などに部屋５の内部が見られないようにしたり等のためである。
【００２７】
そして、前記玄関室３と前記収納室４との間には上述した出入り口７が設けられている。これによって、前記玄関室３と収納室４とを行き来することができるので、収納すべき物品の搬入および搬出がしやすく、使い勝手が良い。
しかも、この出入り口７には戸７ａが設けられており、これによって、前記玄関室３から前記収納室４の中が見えないように遮蔽することができるので、玄関部分の見映えが良くなる。また、来客時などは、戸７ａが設けられていることによって収納室４の内部が見られないようになっているので、プライバシーの保護にもつながる。
【００２８】
一方、前記玄関ポーチ２、玄関室３および収納室４は、本実施の形態においては一直線上に配置されている。
また、前記玄関ポーチ２の床面２ｃと、前記玄関室３の床面３ｃと、前記収納室４の床面４ｃとは、ほぼ等しい高さ位置になるように設けられている。これによって、収納すべき物品を持ったまま、ほぼ等しい高さ位置の床面を移動するだけで済み、例えば比較的重量な物品等でも収納しやすく、使い勝手が良い。
【００２９】
また、例えば、玄関ホールや玄関と部屋との連絡通路等を設ける必要がなくなるので、その分のスペースを、前記収納室４を設けるためのスペースとして利用することができ、この収納室４を比較的大きく形成することが可能となる。
【００３０】
前記部屋５は、前記玄関ポーチ２、玄関室３および収納室４よりも一段高く設けられており、上述したように、リビング５ｂ、ダイニング５ｃおよびキッチン５ｄ等を含む共用居住空間となっている。
前記玄関室３の出入り口３ａは、前記リビング５ｂ、ダイニング５ｃに通じるようになっており、前記収納室４の出入り口４ａは前記キッチン５ｄに通じるようになっている。また、前記キッチン５ｄからは、前記収納室４を通過して、前記勝手口１１よりすぐに外部へと出ることができるようになっているので、使い勝手が良い。
【００３１】
このように、前記部屋５を共用居住空間とすることによって、例えば、前記玄関室３または収納室４と２階Ａ２との行き来をする場合には、前記共用居住空間を必ず通過することになるので、居住者どうしのコミュニケーションの機会を容易に得ることができるようになっている。
【００３２】
前記式台６は、前記玄関室３および収納室４と、前記部屋５との間に設けられた二つの出入り口３ａ、４ａの手前において前記部屋５の床５ａに接続され、かつ前記玄関室３および収納室４の床３ｃ、４ｃよりも上方に配設されて、玄関側に張り出すようにして設けられている。
このような式台６は、前記玄関室３および収納室４と部屋５との間における玄関ホールのような境界領域となるので、例えば、買い物をしてきた物品や収納すべき物品の一時的な置き場にしたり、来客の腰掛け用にしたり、靴を履くときの腰掛け用にしたり等、様々な用途に適応することが可能となり、使い勝手が良い。
【００３３】
また、この式台６は、前記玄関室３と収納室４との間に設けられた出入り口７に達しない範囲において玄関側に張り出しており、前記玄関室３と収納室４との間をこの式台６に妨げられずに行き来することができるようになっている。
しかも、前記式台６のためのスペースを、前記玄関室３と収納室４との行き来が可能な範囲で、できるだけ広く取ることができるので、前記式台６上を有効的に使うことができ、使い勝手が良い。
【００３４】
なお、前記式台６を設置する際の高さ位置は、上述のように前記部屋５の床５ａに接続され、かつ前記玄関室３および収納室４の床３ｃ、４ｃよりも上方に配設されていれば良く、前記部屋５の床５ａの高さに応じて変更するのが望ましい。
すなわち、前記部屋５の床５ａの高さが比較的高い場合、前記玄関室３および収納室４から部屋５へと進む場合に、大きな段差を乗り越えていかなければならなくなるので、前記式台６を前記部屋５の床面５ａよりも低い位置に設けるようにする。
一方、前記部屋５の床５ａの高さが比較的低い場合には、前記玄関室３および収納室４から部屋５へと進む際に、大きな段差を乗り越える必要もないので前記式台６を前記部屋５の床面５ａとほぼ同じ高さの位置に設けるようにする。
その他、この式台６を設置する際の高さ位置については、例えば、居住者が高齢者であった場合には、前記玄関室３および収納室４と部屋５との段差が大きいと相応しくない等、居住者の生活に応じて変更することが望ましい。
【００３５】
一方、上述したように、本実施の形態の建物は２階建てとなっており、１階部分Ａ１には、図１に示すように、前記部屋５に隣接して浴室１２ａ、洗面室１２ｂ、トイレ１２ｃからなる水回り室１２および和室１３、階段１４とが設けられており、この階段１４は、２階部分Ａ２へとつながっている。
２階部分Ａ２には、図２に示すように、階段１４を上がった傍に２階用トイレ１５が設けられており、階段ホール１６を中心に三つの部屋１７が設けられている。
これら三つの部屋１７のうち、第１の部屋１７ａは、収納スペース付き玄関ユニット１の上方に設けられる収納室１８に隣接して設けられており、第２および第３の部屋１７ｂ、１７ｃは、バルコニー１９が外部に設けられている。
【００３６】
なお、本実施の形態の建物の間取りは以上のように構成されているが、これに限られるものではなく、本発明の趣旨を逸脱しない範囲で適宜変更可能であることは言うまでもない。
【００３７】
次に、以上のような構成の収納スペース付き玄関ユニット１を建物本体Ａに隣接して設置する収納スペース付き玄関ユニット１の設置方法について説明する。
この収納スペース付き玄関ユニット１の設置方法は、図１に示すように、少なくとも玄関ポーチ２と、この玄関ポーチ２に連なる玄関室３と、この玄関室３に連なる収納室４とを備えるとともに、前記建物本体Ａの内部に設けられた部屋５へ通じる出入り口３ａ、４ａを前記玄関室３および収納室４にそれぞれ設けて構成された複数種類の収納スペース付き玄関ユニット１を予め規格化して用意しておき、
前記複数種類の収納スペース付き玄関ユニット１のうち、所望するいずれか一種類の収納スペース付き玄関ユニット１を選択してから前記建物本体Ａに隣接して設置するというものである。
【００３８】
以上のような収納スペース付き玄関ユニット１の設置方法によれば、少なくとも玄関ポーチ２、玄関室３および収納室４とを備えるとともに、前記部屋５へ通じる出入り口３ａ、４ａを前記玄関室３および収納室４にそれぞれ設けて構成された複数種類の収納スペース付き玄関ユニット１を予め規格化して用意しておき、所望するいずれか一種類の収納スペース付き玄関ユニット１を選択してから前記建物本体Ａに隣接して設置するので、敷地環境や居住者の要望等に合った収納スペース付き玄関ユニット１を提供することができるようになっている。
これによって、選択された収納スペース付き玄関ユニット１が要望により近いものとなるので、この収納スペース付き玄関ユニット１を建物本体Ａに隣接して設置することで居住者にとっての居住性を確実に向上させることが可能となる。
【００３９】
本実施の形態によれば、玄関ポーチ２から玄関室３を経て収納室４までが連続して設けられており、しかも前記玄関室３および収納室４には、建物本体Ａの内部に設けられた部屋５へ通じる出入り口３ａ、４ａがそれぞれ設けられているので、玄関部分と部屋５との行き来がし易く、かつ前記収納室４に収納すべき物品の搬入および搬出もし易く、使い勝手が良い。その上、敷地の有効利用という観点からも玄関部分に収納室４を確保できることは望ましい。
また、このように、少なくとも玄関ポーチ２、玄関室３および収納室４を備えるとともに、前記玄関室３および収納室４に、前記部屋５へ通じる出入り口３ａ、４ａがそれぞれ設けられていることを基本的な構成要素とするので、前記玄関ポーチ２、玄関室３および収納室４等の各構成要素の大きさを変更したり、その他の要素を追加したり等、様々なバリエーションを持たせることができる。
そして、規格商品の建物においても、このように様々なバリエーションの収納スペース付き玄関ユニット１を複数種類用意しておけば、敷地環境や居住者の要望等に合ったものを選択することが可能となる。これによって、従来とは異なり、敷地環境や居住者の要望に合わせて玄関部分の大きさや形状（平面形状）を変更したとしても、玄関以外のその他の部屋の配置関係や設計プラン等を変更する必要が無く、施工コストの高騰を防ぐことが可能となる。
その上、居住者が自身の要望に合った収納スペース付き玄関ユニット１を選択することによって、選択された収納スペース付き玄関ユニット１が要望により近いものとなるので、この収納スペース付き玄関ユニット１を建物本体Ａに隣接して設置することで居住者にとっての居住性を確実に向上させることが可能となる。
【００４０】
（第２の実施の形態）
次に、図面を参照して本発明に係る収納スペース付き玄関ユニット１００および収納スペース付き玄関ユニット１００の設置方法の第２の実施の形態について説明する。
【００４１】
本実施の形態の収納スペース付き玄関ユニット１００は、図１に示すように、建物本体Ａに隣接して設置されるものであり、
少なくとも玄関ポーチ２０と、この玄関ポーチ２０に連なる玄関室３０と、この玄関室３０に連なる収納室４０とを備えており、
前記玄関室３０および収納室４０に、前記建物本体Ａの内部に設けられた部屋５へ通じる出入り口３０ａ、４０ａがそれぞれ設けられている。
【００４２】
さらに詳細には、本実施の形態の収納スペース付き玄関ユニット１００は、図１に示すように、前記玄関室３０が、玄関ポーチ２０の床面２０ｃとほぼ等しい高さ位置の床面３１ｃとなるように設定された玄関土間３１と、この玄関土間３１よりも一段高く設けられた玄関ホール３２とを備えており、
前記玄関ホール３２の床面３２ｃと前記部屋５の床面５ａとが、ほぼ等しい高さ位置になるように設けられているとともに、前記玄関ホール３２の床面３２ｃと前記収納室４０の床面４０ｃとが、ほぼ等しい高さ位置となるように設けられている。
【００４３】
なお、説明の便宜上、以下は、上述した第１の実施の形態とは異なる構成部分のみについて説明する。
【００４４】
ここで、前記玄関室３０は、上述したように玄関土間３１と玄関ホール３２とを備えており、これら玄関土間３１および玄関ホール３２とに跨って収納棚３３が設けられている。なお、この収納棚３３は図１に示すように、前記玄関ポーチ２０へ通じる出入り口２０ａに達しない範囲の奥行き寸法を備えたものが好ましい。すなわち、外部から前記玄関室３０へと進む際に、前記収納棚３３が前記出入り口２０ａからはみ出して見えていると見映えが悪いだけではなく、比較的大きな物品を搬入する際にもこの収納棚３３が妨げとなってしまうためである。
【００４５】
前記収納室４０は、その床面４０ａが前記玄関ホール３２および前記部屋５の床面３２ｃ、５ａとほぼ等しい高さ位置になるように設けられている。また、この収納室４０には前記玄関室３０と収納室４０との間に設けられる出入り口３４（後述する）に対向して勝手口３５が設けられている。
【００４６】
また、前記玄関室３０および収納室４０には、前記部屋５へ通じる出入り口３０ａ、４０ａと、これら玄関室３０および収納室４０どうしを結ぶ出入り口３４が設けられており、これら各出入り口３０ａ、４０ａ、３４には戸３０ｂ、４０ｂ、３４ａが設けられている。
【００４７】
以上のような本実施の形態によれば、上述した第１の実施の形態と同様の効果を得ることができるとともに、前記玄関ホール３２の床面３２ｃと前記収納室４０の床面４０ｃと前記部屋５の床面５ａとが、ほぼ等しい高さ位置となるように設けられているので、前記部屋５と、玄関ホール３２および収納室４０との行き来がし易い。しかも、収納すべき物品を持ったまま、ほぼ等しい高さ位置の床面を移動するだけで済むので、例えば比較的重量な物品等でも収納しやすく、使い勝手が良い。
また、前記玄関室３０を玄関土間３１と玄関ホール３２とに分けることによって、玄関部分に比較的大きな収納室４０を備えながらも、前記玄関室３０の玄関ホール３２を来客との接点の場として確保することが可能となる。
【００４８】
なお、以上のような収納スペース付き玄関ユニット１００は、上述した第１の実施の形態と同様の設置方法によって設置されるようになっていることは言うまでもない。
【図面の簡単な説明】
【００４９】
【図１】建物の１階部分において本発明の収納スペース付き玄関ユニットの設置概念を示す平面図である。
【図２】図１に示す建物の２階部分を示す平面図である。
【図３】多雪地域ではない場合の建物の外観を示す側面図である。
【図４】多雪地域における建物の外観を示す側面図である。
【符号の説明】
【００５０】
Ａ  建物本体
１  収納スペース付き玄関ユニット
２  玄関ポーチ
３  玄関室
４  収納室
５  部屋
２０  玄関ポーチ
３０  玄関室
４０  収納室
１００  収納スペース付き玄関ユニット
【図１】
0004824984.tif 000002
【図２】
0004824984.tif 000003
【図３】
0004824984.tif 000004
【図４】
0004824984.tif 000005